(57)【要約】【課題】フェムト基地局を用いる通信システムとして、既存の公衆移動通信網と同様に、システム独自のリングバックトーンを出力することに対応できるものがなかった。【解決手段】フェムト基地局が、発呼先無線端末への呼接続方法を判別する判別手段と、その判別手段による判別結果に基づいて、リングバックトーン送出のための通信制御を行う通信制御手段と、を備えるようにする。【選択図】図２
2010157810.tif 000002
【特許請求の範囲】
【請求項１】
無線端末を無線通信により収容可能なフェムト基地局を備えた通信システムであって、
前記フェムト基地局は、
発呼先無線端末への呼接続方法を判別する判別手段と、
前記判別手段による判別結果に基づいて、リングバックトーン送出のための通信制御を行う通信制御手段と、を備えたことを特徴とする通信システム。
【請求項２】
前記フェムト基地局は、当該フェムト基地局が収容する無線端末への着呼を示す信号を受信すると、発呼先がフェムト基地局であると判別させるための判別情報を所定のＳＩＰ（Session Initiation Protocol）メッセージにおける所定領域内に付加して送出する判別情報送出手段を備えたことを特徴とする請求項１記載の通信システム。
【請求項３】
前記判別手段は、
前記所定のＳＩＰメッセージにより前記判別情報を受信すると、発呼先無線端末が他のフェムト基地局に収容されていると判別し、
前記判別情報の含まれない前記所定のＳＩＰメッセージを受信すると、発呼先無線端末が何れのフェムト基地局にも収容されていないと判別することを特徴とする請求項２記載の通信システム。
【請求項４】
予め定められたリングバックトーンの音源情報を格納する音源格納手段を備え、
前記通信制御手段は、自局が発呼元無線端末を収容し、前記判別手段により発呼先無線端末が他のフェムト基地局に収容されていると判別され、鳴動通知を受信した際、前記音源格納手段に格納された音源情報によるリングバックトーンを該発呼元無線端末に送出することを特徴とする請求項１から３の何れか１項に記載の通信システム。
【請求項５】
前記通信制御手段は、自局が発呼元無線端末を収容し、前記判別手段により発呼先無線端末が何れのフェムト基地局にも収容されていないと判別された場合、ＡＬＥＲＴメッセージを該発呼元無線端末に送信した後、音声回線を通過可能な開放状態とすることを特徴とする請求項１から４の何れか１項に記載の通信システム。
【請求項６】
前記判別手段は、転送処理が行われた場合、転送先無線端末への呼接続方法を再度判別し、
前記通信制御手段は、該転送処理が行われた場合、該判別手段による該判別結果に基づいてリングバックトーン送出のための通信制御を行うことを特徴とする請求項１から５の何れか１項に記載の通信システム。
【請求項７】
前記通信システムは、メディアゲートウェイ装置と、メディアゲートウェイ制御サーバとを備え、
前記メディアゲートウェイ装置は、
予め定められたリングバックトーンの音源情報を格納する音源格納手段と、
前記メディアゲートウェイ制御サーバから送出要求を受信すると前記音源格納手段に格納された音源情報によるリングバックトーンを発呼元端末に対して送出する送出手段と、を備え、
前記メディアゲートウェイ制御サーバは、
発呼元端末からの呼接続方法を判別する判別手段と、
前記判別手段により発呼元端末がフェムト基地局に収容されていないと判別された場合、フェムト基地局からの受信情報に関わらず、鳴動通知を受信した時に前記メディアゲートウェイ装置に対して前記音源情報によるリングバックトーンの送出要求を送信する送出制御手段と、を備えたことを特徴とする請求項１から６の何れか１項に記載の通信システム。
【請求項８】
無線端末を無線通信により収容可能なフェムト基地局であって、
発呼先無線端末への呼接続方法を判別する判別手段と、
前記判別手段による判別結果に基づいて、リングバックトーン送出のための通信制御を行う通信制御手段と、を備えたことを特徴とするフェムト基地局。
【請求項９】
自局が収容する無線端末への着呼を示す信号を受信すると、発呼先がフェムト基地局であると判別させるための判別情報を所定のＳＩＰ（Session Initiation Protocol）メッセージにおける所定領域内に付加して送出する判別情報送出手段を備えたことを特徴とする請求項８記載のフェムト基地局。
【請求項１０】
前記判別手段は、
前記所定のＳＩＰメッセージにより前記判別情報を受信すると、発呼先無線端末が他のフェムト基地局に収容されていると判別し、
前記判別情報の含まれない前記所定のＳＩＰメッセージを受信すると、発呼先無線端末が何れのフェムト基地局にも収容されていないと判別することを特徴とする請求項９記載のフェムト基地局。
【請求項１１】
予め定められたリングバックトーンの音源情報を格納する音源格納手段を備え、
前記通信制御手段は、自局が発呼元無線端末を収容し、前記判別手段により発呼先無線端末が他のフェムト基地局に収容されていると判別され、鳴動通知を受信した際、前記音源格納手段に格納された音源情報によるリングバックトーンを該発呼元無線端末に送出することを特徴とする請求項８から１０の何れか１項に記載のフェムト基地局。
【請求項１２】
前記通信制御手段は、自局が発呼元無線端末を収容し、前記判別手段により発呼先無線端末が何れのフェムト基地局にも収容されていないと判別された場合、ＡＬＥＲＴメッセージを該発呼元無線端末に送信した後、音声回線を通過可能な開放状態とすることを特徴とする請求項８から１１の何れか１項に記載のフェムト基地局。
【請求項１３】
前記判別手段は、転送処理が行われた場合、転送先無線端末への呼接続方法を再度判別し、
前記通信制御手段は、該転送処理が行われた場合、該判別手段による該判別結果に基づいてリングバックトーン送出のための通信制御を行うことを特徴とする請求項８から１２の何れか１項に記載のフェムト基地局。
【請求項１４】
無線端末を無線通信により収容可能なフェムト基地局を備えた通信システムにおける通信方法であって、
前記フェムト基地局が発呼先無線端末への呼接続方法を判別する判別工程と、
前記判別工程による判別結果に基づいて、リングバックトーン送出のための通信制御を行う通信制御工程と、を備えたことを特徴とする通信方法。
【請求項１５】
前記発呼先無線端末を収容するフェムト基地局が、該発呼先無線端末への着呼を示す信号を受信すると、発呼先がフェムト基地局であると判別させるための判別情報を所定のＳＩＰ（Session Initiation Protocol）メッセージにおける所定領域内に付加して送出する判別情報送出工程を備えたことを特徴とする請求項１４記載の通信方法。
【請求項１６】
前記判別工程では、
前記所定のＳＩＰメッセージにより前記判別情報を受信すると、発呼先無線端末が他のフェムト基地局に収容されていると判別し、
前記判別情報の含まれない前記所定のＳＩＰメッセージを受信すると、発呼先無線端末が何れのフェムト基地局にも収容されていないと判別することを特徴とする請求項１５記載の通信方法。
【請求項１７】
前記フェムト基地局は、予め定められたリングバックトーンの音源情報を格納する音源格納手段を備え、
前記通信制御工程では、自局が発呼元無線端末を収容し、前記判別工程により発呼先無線端末が他のフェムト基地局に収容されていると判別され、鳴動通知を受信した際、前記音源格納手段に格納された音源情報によるリングバックトーンを該発呼元無線端末に送出することを特徴とする請求項１４から１６の何れか１項に記載の通信方法。
【請求項１８】
前記通信制御工程では、自局が発呼元無線端末を収容し、前記判別工程により発呼先無線端末が何れのフェムト基地局にも収容されていないと判別された場合、ＡＬＥＲＴメッセージを該発呼元無線端末に送信した後、音声回線を通過可能な開放状態とすることを特徴とする請求項１４から１７の何れか１項に記載の通信方法。
【請求項１９】
転送処理が行われた場合に転送先無線端末への呼接続方法を再度判別する再判別工程と、
該転送処理が行われた場合、前記再判別工程による判別結果に基づいてリングバックトーン送出のための通信制御を行う通信再制御工程と、を備えたことを特徴とする請求項１４から１８の何れか１項に記載の通信方法。
【請求項２０】
前記通信システムは、予め定められたリングバックトーンの音源情報を格納する音源格納手段を有するメディアゲートウェイ装置と、メディアゲートウェイ制御サーバとを備え、
発呼元端末からの呼接続方法を前記メディアゲートウェイ制御サーバが判別する発呼元判別工程と、
前記発呼元判別工程により発呼元端末がフェムト基地局に収容されていないと判別された場合、フェムト基地局からの受信情報に関わらず、鳴動通知を受信した時に前記メディアゲートウェイ制御サーバが前記メディアゲートウェイ装置に対して前記音源情報によるリングバックトーンの送出要求を送信する送出制御工程と、
前記メディアゲートウェイ装置が前記メディアゲートウェイ制御サーバから送出要求を受信すると前記音源格納手段に格納された音源情報によるリングバックトーンを発呼元端末に対して送出する送出工程と、を備えたことを特徴とする請求項１４から１９の何れか１項に記載の通信方法。
【請求項２１】
無線端末を無線通信により収容可能なフェムト基地局の通信プログラムであって、
発呼先無線端末への呼接続方法を判別する判別処理と、
前記判別処理による判別結果に基づいて、リングバックトーン送出のための通信制御を行う通信制御処理と、を前記フェムト基地局のコンピュータに実行させることを特徴とする通信プログラム。
【請求項２２】
自局が収容する無線端末への着呼を示す信号を受信すると、発呼先がフェムト基地局であると判別させるための判別情報を所定のＳＩＰ（Session Initiation Protocol）メッセージにおける所定領域内に付加して送出する判別情報送出処理を、前記フェムト基地局のコンピュータに実行させることを特徴とする請求項２１記載の通信プログラム。
【請求項２３】
前記判別処理では、
前記所定のＳＩＰメッセージにより前記判別情報を受信すると、発呼先無線端末が他のフェムト基地局に収容されていると判別し、
前記判別情報の含まれない前記所定のＳＩＰメッセージを受信すると、発呼先無線端末が何れのフェムト基地局にも収容されていないと判別することを特徴とする請求項２２記載の通信プログラム。
【請求項２４】
前記フェムト基地局は、予め定められたリングバックトーンの音源情報を格納する音源格納手段を備え、
前記通信制御処理では、自局が発呼元無線端末を収容し、前記判別処理により発呼先無線端末が他のフェムト基地局に収容されていると判別され、鳴動通知を受信した際、前記音源格納手段に格納された音源情報によるリングバックトーンを該発呼元無線端末に送出することを特徴とする請求項２１から２３の何れか１項に記載の通信プログラム。
【請求項２５】
前記通信制御処理では、自局が発呼元無線端末を収容し、前記判別処理により発呼先無線端末が何れのフェムト基地局にも収容されていないと判別された場合、ＡＬＥＲＴメッセージを該発呼元無線端末に送信した後、音声回線を通過可能な開放状態とすることを特徴とする請求項２１から２４の何れか１項に記載の通信プログラム。
【請求項２６】
転送処理が行われた場合に転送先無線端末への呼接続方法を再度判別する再判別処理と、
該転送処理が行われた場合、前記再判別処理による判別結果に基づいてリングバックトーン送出のための通信制御を行う通信再制御処理と、を前記フェムト基地局のコンピュータに実行させることを特徴とする請求項２１から２５の何れか１項に記載の通信プログラム。
【発明の詳細な説明】
【技術分野】
【０００１】
本発明は、無線端末（ＵＥ；user equipment）をフェムトセル（femto cell）により呼接続させ、発呼の際にリングバックトーン（ＲＢＴ）を出力する通信システム、フェムト基地局、通信方法および通信プログラムに関する。
【背景技術】
【０００２】
一般に、電話機では、発呼の際にリングバックトーン（ＲＢＴ）を発呼端末から出力する。
【０００３】
携帯電話機などのＵＥを呼接続させる既存の公衆移動通信網としての３Ｇ（third generation：第三世代移動体通信）網で、通信事業者などのシステム運用者が独自のリングバックトーン（ＳＲＢＴ；Special-RBT）を用いる場合の動作例を図６に示す。
【０００４】
こうした３Ｇ網でＳＲＢＴを用いる場合、図６に示すように、ＭＳＣ（Mobile Switching Center）がＳＲＢＴの音源を有し、発呼元ＵＥへの出力を行う。
すなわち、認証などの接続手順、帯域設定などの無線接続セットアップ手順を実行した後、着呼側システムのＭＳＣが呼経過メッセージ（ＣＰＧ）を発呼側システムのＭＳＣに送信し、発呼側ＵＥに呼出メッセージ（ＡＬＥＲＴ）を送出させる。この後、着呼側システムのＭＳＣが発呼側ＵＥにＳＲＢＴを送信する。
【０００５】
また、本発明より先に出願された技術文献として、呼制御装置が発側ＰＣから発信要求を受信した際に、発呼側ＩＰ電話機に対してリングバックトーンを送出することで、発側ＰＣに連携されている電話機を識別しやすくするものがある（例えば、特許文献１参照）。
【０００６】
また、近年、家庭やオフィスなどに設置された有線回線を経由して移動通信コアネットワークに接続させるフェムトセルの可能性が注目されている。
このフェムトセルは、半径数十メートル程度の狭い通信エリアをカバーするフェムト基地局（Femto AP）によりＵＥを無線接続させるものであり、主に家庭内やオフィス内といった室内の通信エリアをカバーする。このことにより、既存のマクロセル（macro cell）基地局のインフラ整備にコストをかけずに通信エリアをカバーすることを可能にしている。
【特許文献１】特開２００７−７４４２４号公報
【発明の開示】
【発明が解決しようとする課題】
【０００７】
しかしながら、上述した図６に示す既存３Ｇ網の動作では、全てＭＳＣで一元的に音源の制御を行っており、フェムトセルを導入した構成でＳＲＢＴを出力することについてまでは考慮されていなかった。
【０００８】
また、上述した特許文献１のものについても、発側ＰＣに連携されているＩＰ電話機に呼制御装置がリングバックトーンを送出するものであり、フェムトセルを導入した構成とすることやＳＲＢＴを出力することについてまで考慮されたものではなかった。
【０００９】
本発明はこのような状況に鑑みてなされたものであり、フェムト基地局を用いる通信システムとして、既存の公衆移動通信網と同様に、システム独自のリングバックトーンを出力することにも対応する通信システム、フェムト基地局、通信方法および通信プログラムを提供することを目的とする。
【課題を解決するための手段】
【００１０】
かかる目的を達成するために、本発明に係る通信システムは、無線端末を無線通信により収容可能なフェムト基地局を備えた通信システムであって、上記フェムト基地局は、発呼先無線端末への呼接続方法を判別する判別手段と、上記判別手段による判別結果に基づいて、リングバックトーン送出のための通信制御を行う通信制御手段と、を備えたことを特徴とする。
【００１１】
また、本発明に係るフェムト基地局は、無線端末を無線通信により収容可能なフェムト基地局であって、発呼先無線端末への呼接続方法を判別する判別手段と、上記判別手段による判別結果に基づいて、リングバックトーン送出のための通信制御を行う通信制御手段と、を備えたことを特徴とする。
【００１２】
また、本発明に係る通信方法は、無線端末を無線通信により収容可能なフェムト基地局を備えた通信システムにおける通信方法であって、上記フェムト基地局が発呼先無線端末への呼接続方法を判別する判別工程と、上記判別工程による判別結果に基づいて、リングバックトーン送出のための通信制御を行う通信制御工程と、を備えたことを特徴とする。
【００１３】
また、本発明に係る通信プログラムは、無線端末を無線通信により収容可能なフェムト基地局の通信プログラムであって、発呼先無線端末への呼接続方法を判別する判別処理と、上記判別処理による判別結果に基づいて、リングバックトーン送出のための通信制御を行う通信制御処理と、を上記フェムト基地局のコンピュータに実行させることを特徴とする。
【発明の効果】
【００１４】
以上のように、本発明によれば、フェムト基地局を用いる通信システムとして、既存の公衆移動通信網と同様に、システム独自のリングバックトーンを出力することにも対応することができる。
【発明を実施するための最良の形態】
【００１５】
次に、本発明に係る通信システム、フェムト基地局、通信方法および通信プログラムを適用した一実施形態について、図面を用いて詳細に説明する。
【００１６】
本実施形態は、フェムト基地局（Femto AP；Femto Access Point）により無線端末であるＵＥの呼接続を行い、３ＧＰＰ（3rd Generation Partnership Project）などの規格に定められた範囲内で通信事業者独自のＳＲＢＴを出力する好適なものを例示している。
【００１７】
本実施形態の通信システムは、図１に示すように、ＩＭＳ（IP Multimedia subsystem）網で使用されるＨＬＲ（Home Location Register）９５と、ＭＳＣ（Mobile Switching Center）９３と、無線ネットワーク制御装置（ＲＮＣ；Radio Network Controller）９２と、無線基地局などのＮｏｄｅ−Ｂ９１とを有する既存３Ｇ網に接続されて用いられる。
【００１８】
このため、本実施形態の通信システムは、所定の通信エリアを構築するFemto AP２と、メディアゲートウェイ装置（ＭＧＷ；Media Gateway）３と、ネットワークを介して各Femto AP２を接続させるＰＤＧ（Packet Data Gateway）４と、ＡＡＡ（Authentication Authorisation Accounting）５と、コール状態制御サーバ（ＣＳＣＦ；Call Session Control Function）６と、ホーム加入者サーバ（ＨＳＳ；Home Subscriber Server）７と、メディアゲートウェイ制御サーバ（ＭＧＣＦ；Media Gateway Control Function）９とを備えて構成される。
【００１９】
Femto AP２は、半径数十メートル程度の狭い通信エリア（フェムトセル）をカバーする小型無線基地局である。また、通信事業者などのシステム運用者により予め定められたリングバックトーン（ＳＲＢＴ）の音源情報を格納し、ＳＲＢＴ送出のための通信制御などを行う。
【００２０】
ＭＧＷ３は、本実施形態としての通信システムを既存３Ｇ網などの他のネットワークと音声通信などで相互接続させる機能を有する。また、通信事業者などのシステム運用者により予め定められたリングバックトーン（ＳＲＢＴ）の音源情報を格納し、ＳＲＢＴ送出のための制御などを行う。
【００２１】
ＰＤＧ４は、メッセージを中継する装置である。
【００２２】
ＡＡＡ５は、ＵＥ１の認証処理などを行う装置である。
【００２３】
ＣＳＣＦ６は、ＳＩＰ（Session Initiation Protocol）を用いたセッション制御、管理、認証、ルーティング等の機能を有する。
【００２４】
ＨＳＳ７は、ＶＬＲ（Visitor Location Register）８を有し、ＵＥ１の加入者情報を管理する。ＨＳＳ７は、ＵＥ１の加入者情報をＨＬＲ１０から取得し、その取得したＵＥ１の加入者情報をＶＬＲ８に格納して管理する。
【００２５】
ＭＧＣＦ９は、本実施形態としての通信システムを既存３Ｇ網などの他のネットワークと相互接続させる機能を有する。また、ＭＧＷ３によるＳＲＢＴの送出制御など、ＭＧＷ３を制御する機能を提供する。
【００２６】
既存３Ｇ網におけるＵＥ、Ｎｏｄｅ−Ｂ、ＲＮＣ、ＭＳＣ、ＶＬＲ、ＨＬＲは、３ＧＰＰに準拠した処理を行う装置であるため、具体的な機能や処理動作については説明を省略する。
【００２７】
次に、本実施形態としての通信システムでFemto AP２に無線通信により収容されるＵＥ１が、Femto AP２に収容されるＵＥに対して音声呼として発呼する場合の動作について、図２のシーケンス図を参照して説明する。この発呼先のFemto AP２は、同じ通信システム内であってもよく、同様にFemto APを有する他の通信システムのものであってもよい。
【００２８】
まず、ＵＥ１は発呼の際、ＵＥ認証など、既存３G網の場合と同様の接続認証手順を実行する（ステップＳ１）。そしてＵＥ１がFemto AP２にＳＥＴＵＰ信号を送出すると（ステップＳ２）、この発呼元のFemto AP２は発呼先のFemto AP２に対してＩＮＶＩＴＥのＳＩＰメッセージを送信し（ステップＳ３）、１００TryingのＳＩＰメッセージを返信として受信する（ステップＳ４）。発呼元Femto AP２は、CALLPROC信号を発呼元ＵＥ１に送信する（ステップＳ５）。
【００２９】
発呼先のFemto AP２は、発呼元のFemto AP２に１００TryingのＳＩＰメッセージを返信すると、自局の無線通信エリアで収容している発呼先ＵＥに対して、ＵＥ認証など、既存３G網の場合と同様の接続認証手順を実行する（ステップＳ６）。そして発呼先のFemto AP２が発呼先ＵＥ１にＳＥＴＵＰ信号を送出すると（ステップＳ７）、発呼先ＵＥ１はCALLCONF信号によりFemto AP２に返信する（ステップＳ８）。
【００３０】
発呼先Femto AP２は、自局がフェムト基地局であることを判別できるようにするための判別情報を１８３Session ProgressのＳＩＰメッセージ内の所定領域内に付加して、発呼元Femto AP２へ送信する（ステップＳ９）。この判別情報の付加は、例えば１８３のＳＩＰメッセージをＳＤＰ（Session Description Protocol）のプロトコルで記述する場合にa=femtoといった予め定められた情報をＳＤＰにおける所定領域に付加することで実現することができる。
【００３１】
発呼元Femto AP２は、判別情報が付加された１８３Session ProgressのＳＩＰメッセージを受信することで、発呼先ＵＥ１がフェムト基地局に収容されていると判別し（判別手段）、発呼先Femto AP２へPRACKメッセージにより応答する（ステップＳ１０）。発呼先Femto AP２は、２００OKのＳＩＰメッセージを発呼元Femto AP２へ送信する（ステップＳ１１）。
【００３２】
このステップＳ１１までの手順が完了すると、発呼元および発呼先のFemto AP２は、それぞれが収容する発呼元ＵＥ、発呼先ＵＥに対して、無線通信の帯域設定など、既存３G網の場合と同様の無線接続セットアップ手順を実行する（ステップＳ１２）。
【００３３】
そして、発呼元Femto AP２がUPDATEのＳＩＰメッセージを発呼先Femto AP２に送信すると（ステップＳ１３）、発呼先Femto AP２は２００OKのＳＩＰメッセージを発呼元Femto AP２に返信する（ステップＳ１４）。
【００３４】
発呼先ＵＥ１がＡＬＥＲＴ信号を発呼先Femto AP２に送信すると（ステップＳ１５）、発呼先Femto AP２は１８０RingingのＳＩＰメッセージ（鳴動通知）を発呼元Femto AP２に送信し（ステップＳ１６）、発呼元Femto AP２はＡＬＥＲＴ信号を発呼元ＵＥ１に送信する（ステップＳ１７）。
【００３５】
発呼元Femto AP２は、上述したステップＳ９により発呼先ＵＥ１がフェムト基地局に収容されていると判別しているため、ステップＳ１７のＡＬＥＲＴ信号を送信した直後に、自局内に格納された音源情報によるＳＲＢＴを発呼元ＵＥ１に送信し、発呼元ＵＥ１からＳＲＢＴを出力させる（ステップＳ１８）。
【００３６】
次に、既存３Ｇ網におけるＮｏｄｅ−Ｂ９１に無線通信により収容されるＵＥが、本実施形態としての通信システムのFemto AP２に収容されるＵＥ１に対して音声呼として発呼する場合の動作について、図３のシーケンス図を参照して説明する。
【００３７】
まず、ＵＥ１は発呼の際、ＵＥ認証など、既存３G網としての接続認証手順を実行する（ステップＳ２１）。そしてＵＥ１がＮｏｄｅ−Ｂ９１経由でＭＳＣ９３にＳＥＴＵＰ信号を送出すると（ステップＳ２２）、ＭＳＣ９３は、発呼元ＵＥ１にCALLPROC信号を返信し（ステップＳ２３）、ＭＧＣＦ９にＩＡＭ信号を送信する（ステップＳ２４）。また、ＭＳＣ９３は、Ｎｏｄｅ−Ｂ９１が収容する発呼元ＵＥに対して、無線通信の帯域設定など、既存３G網としての無線接続セットアップ手順を実行する（ステップＳ２５）。
【００３８】
ＭＧＣＦ９は、上述したステップＳ２４でＩＡＭ信号を受信することにより、発呼元ＵＥがフェムト基地局に収容されたものではないと判別する（判別手段）。ＭＧＣＦ９は、ＭＧＷ３に制御開始要求を行うと（ステップＳ２６）、発呼先Femto AP２にＩＮＶＩＴＥのＳＩＰメッセージを送信し（ステップＳ２７）、１００TryingのＳＩＰメッセージを返信として受信する（ステップＳ２８）。
【００３９】
発呼先Femto AP２は、発呼先ＵＥ１のＵＥ認証など、既存３G網の場合と同様の接続認証手順を実行する（ステップＳ２９）。また、発呼先Femto AP２は、ＳＥＴＵＰ信号を送信し（ステップＳ３０）、CALLCONF信号を返信として受信する（ステップＳ３１）。
【００４０】
発呼先Femto AP２は、上述した図２のシーケンス図による動作例の場合と同様に、１８３Session ProgressのＳＩＰメッセージ内の所定領域内に、自局がフェムト基地局であることを判別できるようにするための判別情報を付加してＣＳＣＦ６経由でＭＧＣＦ９に送信する（ステップＳ３２）。
【００４１】
ＭＧＣＦ９は、１８３Session ProgressのＳＩＰメッセージを受信すると、判別情報が付加されているか否かをチェックせず、既存３Ｇ網としてのアドレス完了メッセージ（ＡＣＭ）をＭＳＣ９３に送信し（ステップＳ３３）、発呼先Femto AP２にPRACKメッセージを応答として送信する（ステップＳ３４）。発呼先Femto AP２は、２００OKのＳＩＰメッセージをＭＧＣＦ９に送信する（ステップＳ３５）。
【００４２】
このステップＳ３５までの手順が完了すると、発呼先のFemto AP２は、上述した図２のシーケンス図による動作例の場合と同様に、自局が収容する発呼先ＵＥに対して、無線通信の帯域設定など、既存３G網の場合と同様の無線接続セットアップ手順を実行する（ステップＳ３６）。
【００４３】
発呼先ＵＥ１がＡＬＥＲＴ信号を発呼先Femto AP２に送信すると（ステップＳ３７）、発呼先Femto AP２は１８０RingingのＳＩＰメッセージ（鳴動通知）をＭＧＣＦ９に送信する（ステップＳ３８）。
【００４４】
ＭＧＣＦ９は、上述したステップＳ２４で発呼元ＵＥがフェムト基地局に収容されたものではないと判別しているため、ＭＧＷ３にＳＲＢＴの送出要求を送信し（ステップＳ３９）、既存３Ｇ網としての呼経過メッセージ（ＣＰＧ）をＭＳＣ９３に送信する（ステップＳ４０）。ＭＳＣ９３は、Ｎｏｄｅ−Ｂ９１経由で発呼元ＵＥ１にＡＬＥＲＴ信号を送信する（ステップＳ４１）。
【００４５】
ＭＧＷ３は、ＭＧＣＦ９からのＳＲＢＴ送出要求に基づいて、自装置内に格納された音源情報によるＳＲＢＴを発呼元システムのＭＳＣ９３に送出する。ＭＳＣ９３は、既存３Ｇ網で発呼先システムのＭＳＣからＳＲＢＴが送出された場合と同様にＳＲＢＴを発呼元ＵＥ１に送信し、発呼元ＵＥ１からＳＲＢＴを出力させる（ステップＳ４２）。
【００４６】
次に、本実施形態としての通信システムのFemto AP２に収容されるＵＥ１が、既存３Ｇ網におけるＮｏｄｅ−Ｂ９１に無線通信により収容されるＵＥ１に対して音声呼として発呼する場合の動作について、図４のシーケンス図を参照して説明する。
【００４７】
まず、ＵＥ１は発呼の際、ＵＥ認証など、既存３G網の場合と同様の接続認証手順を実行する（ステップＳ５１）。そしてＵＥ１がFemto AP２にＳＥＴＵＰ信号を送出すると（ステップＳ５２）、この発呼元のFemto AP２はＭＧＣＦ９に対してＩＮＶＩＴＥのＳＩＰメッセージを送信し（ステップＳ５３）、１００TryingのＳＩＰメッセージを返信として受信する（ステップＳ５４）。発呼元のFemto AP２は、CALLPROC信号を発呼元ＵＥ１に送信する（ステップＳ５５）。
【００４８】
ＭＧＣＦ９は、上述したステップＳ５４で１００TryingのＳＩＰメッセージを送出した後、１８３Session ProgressのＳＩＰメッセージを発呼元Femto AP２へ送信する（ステップＳ５６）。
【００４９】
この１８３のＳＩＰメッセージは、上述した図２、図３のシーケンス図による動作例のようにFemto AP２から送出されたものではないため、上述した判別情報が付加されていない通常の１８３のＳＩＰメッセージとなっている。このことにより、受信した発呼元Femto AP２は、発呼先ＵＥがフェムト基地局に収容されたものではないと判別し（判別手段）、ＭＧＣＦ９へPRACKメッセージにより応答する（ステップＳ５７）ＭＧＣＦ９は、２００OKのＳＩＰメッセージを発呼元Femto AP２へ送信する（ステップＳ５８）。
【００５０】
このステップＳ５８までの手順が完了すると、発呼元のFemto AP２は、自局が収容する発呼元ＵＥ１に対して、無線通信の帯域設定など、既存３G網の場合と同様の無線接続セットアップ手順を実行する（ステップＳ５９）。
【００５１】
そして、発呼元Femto AP２は、UPDATEのＳＩＰメッセージを発呼先Femto AP２に送信すると共に（ステップＳ６０）、既存３Ｇ網の場合と同様のＰＲＯＧメッセージをＵＥ１に送出する（ステップＳ６１）。
【００５２】
ＭＧＣＦ９は、受信したUPDATEのＳＩＰメッセージに対して２００OKのＳＩＰメッセージを発呼元Femto AP２に送信し（ステップＳ６２）、既存３Ｇ網としてのＩＡＭメッセージをＭＳＣ９３に送信する（ステップＳ６３）。
【００５３】
ＭＳＣ９３は、Ｎｏｄｅ−Ｂ９１が収容する発呼先ＵＥに対して、無線通信の帯域設定など、既存３G網としての無線接続セットアップ手順を実行する（ステップＳ６４）。また、ＭＳＣ９３は、Ｎｏｄｅ−Ｂ９１を経由してＳＥＴＵＰ信号を送信し（ステップＳ６５）、CALLCONF信号を返信として受信する（ステップＳ６６）。
【００５４】
ＭＳＣ９３は、既存３Ｇ網としてのアドレス完了メッセージ（ＡＣＭ）をＭＧＣＦ９に送信し（ステップＳ６７）、発呼先ＵＥ１に対して、無線通信の帯域設定など、既存３G網としての無線接続セットアップ手順を実行する（ステップＳ６８）。
【００５５】
ＭＧＣＦ９は、１８３Session ProgressのＳＩＰメッセージを発呼元Femto AP２に送信し（ステップＳ６９）、発呼先Femto AP２はPRACKメッセージを応答として返送する（ステップＳ７０）。ＭＧＣＦ９は、２００OKのＳＩＰメッセージを発呼元Femto AP２に送信する（ステップＳ７１）。
【００５６】
発呼先ＵＥ１がＡＬＥＲＴ信号をＮｏｄｅ−Ｂ９１経由でＭＳＣ９３に送信すると（ステップＳ７２）、ＭＳＣ９３は、既存３Ｇ網としての呼経過メッセージ（ＣＰＧ）をＭＧＣＦ９に送信する（ステップＳ７３）。ＭＧＣＦ９は、１８０RingingのＳＩＰメッセージを発呼元Femto AP２に送信する（ステップＳ７４）。
【００５７】
発呼元Femto AP２は、発呼元ＵＥ１にＡＬＥＲＴ信号を送信すると（ステップＳ７５）上述したステップＳ５６で発呼先ＵＥがフェムト基地局に収容されたものではないと判別しているため、音声回線を通過可能な開放状態とする。そして、ＭＧＣＦ９にPRACKメッセージを応答として送信し（ステップＳ７６）、２００OKのＳＩＰメッセージを返送として受信する（ステップＳ７７）。
【００５８】
発呼先システムのＭＳＣ９３は、既存３Ｇ網としてのＳＲＢＴを発呼元Femto AP２に送信する。この時、上述のようにして発呼元Femto AP２の音声回線が通過可能な開放状態とされているため、このＳＲＢＴが発呼元ＵＥ１から出力されることとなる（ステップＳ７８）。
【００５９】
次に、発呼先Femto APで、そのFemto APによるフェムトセル内のＵＥが無応答である場合に、予め定められたＵＥに転送処理するよう転送設定がなされている場合の動作について、図５を参照して説明する。
【００６０】
まず、上述した図２のシーケンス図による動作例と同様にステップＳ１〜ステップＳ１８の動作が行われ、発呼元ＵＥ１からＳＲＢＴが出力されているとする。
ここで、予め定められた時間が経過しても発呼先ＵＥ１が無応答である場合、発呼先システムのＣＳＣＦ６はユーザ不在と判断し、発呼先Femto AP２に対して発呼のキャンセル処理を行う（ステップＳ８１）。
【００６１】
発呼がキャンセルされると、発呼先システムのＣＳＣＦ６は、予め設定された転送先に再発呼するため、ＭＧＣＦ９に、上述した図４のシーケンス図の動作例と同様にＩＮＶＩＴＥのＳＩＰメッセージを送信する（ステップＳ８２）。
【００６２】
ＭＧＣＦ９は、上述した図４のシーケンス図の動作例と同様に１００TryingのＳＩＰメッセージを返信し（ステップＳ８３）、１８３Session ProgressのＳＩＰメッセージを発呼元Femto AP２へ送信する（ステップＳ８４）。
【００６３】
この１８３のＳＩＰメッセージは、上述した判別情報が付加されていない通常の１８３のＳＩＰメッセージであるため、受信した発呼元Femto AP２は、転送による発呼先ＵＥがフェムト基地局に収容されたものではないと判別し（判別手段）、上述した図４のシーケンス図の動作例と同様の動作を行い、既存３Ｇ網の場合と同様のＰＲＯＧメッセージをＵＥ１に送出する（ステップＳ８５）。
【００６４】
こうして、上述した図４のシーケンス図の動作例と同様の動作を行い、転送による発呼先ＵＥ１がＡＬＥＲＴ信号をＮｏｄｅ−Ｂ９１経由でＭＳＣ９３に送信すると（ステップＳ８６）、ＭＳＣ９３は、既存３Ｇ網としての呼経過メッセージ（ＣＰＧ）をＭＧＣＦ９に送信する（ステップＳ８７）。ＭＧＣＦ９は、１８０RingingのＳＩＰメッセージを発呼元Femto AP２に送信する（ステップＳ８８）。
【００６５】
発呼元Femto AP２は、発呼元ＵＥ１にＡＬＥＲＴ信号を送信すると（ステップＳ８９）上述したステップＳ８４で転送先ＵＥがフェムト基地局に収容されたものではないと判別しているため、音声回線を通過可能な開放状態とする。そして、ＭＧＣＦ９にPRACKメッセージを応答として送信し（ステップＳ９０）、２００OKのＳＩＰメッセージを返送として受信する（ステップＳ９１）。
【００６６】
転送先システムのＭＳＣ９３は、既存３Ｇ網としてのＳＲＢＴを発呼元Femto AP２に送信する。この時、上述のようにして発呼元Femto AP２の音声回線が通過可能な開放状態とされているため、このＳＲＢＴが発呼元ＵＥ１から出力されることとなる（ステップＳ９２）。
【００６７】
以上のように、上述した実施形態によれば、１８３Session ProgressのＳＩＰメッセージに予め定められた判別情報が付加されているか否かにより、発呼元Femto AP２が発呼先ＵＥへの呼接続方法の判別を行い、その呼接続方法に応じた通信制御を行うことで、ＳＲＢＴの発呼元ＵＥからの出力を実現することができる。このため、３ＧＰＰ標準に規定される範囲内で、フェムトセルを用い、かつ既存の３Ｇ網と同様なＳＲＢＴ出力制御にも対応した通信システムを実現することができる。
また、このフェムトセルを用いた通信システムを、既存の３Ｇ網への改良を必要とせずに導入することができる。
【００６８】
また、転送処理が行われた場合にも、転送先に応じて上述した図２〜図４の何れかの動作例と同様に、その転送先ＵＥへの呼接続方法をFemto AP２が再度判別することで、転送処理が行われた場合にも同様に発呼元ＵＥからＳＲＢＴを出力させることができる。
【００６９】
なお、上述した実施形態は本発明の好適な実施形態であり、本発明はこれに限定されることなく、本発明の技術的思想に基づいて種々変形して実施することが可能である。
【００７０】
例えば、本明細書における「システム」とは、複数の装置（又は特定の機能を実現する機能モジュール）が論理的に集合したもののことであり、各装置や各機能モジュールが単一の筐体内にあるか否かは特に問われるものではない。
特に、ＭＧＷ、ＣＳＣＦ、ＭＧＣＦは所定の機能を実現するものであり、各機能を実現する構成が単一の筐体内にあるか否かは特に問われるものではない。すなわち、それぞれメディアゲートウェイ装置、コール状態制御サーバ、メディアゲートウェイ制御サーバといった単体装置で実現されてもよく、機能を実現する他の態様で実現されてもよい。
【００７１】
また、上述した各実施形態としての通信システムやフェムト基地局を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ-ＲＯＭ、ＣＤ-Ｒ、ＣＤ-ＲＷ、ＤＶＤ-ＲＯＭ、ＤＶＤ-ＲＡＭ、ＤＶＤ-ＲＷ、ＤＶＤ+ＲＷ、磁気テープ、不揮発性のメモリーカード、ＲＯＭ等を用いてよい。
【００７２】
この本発明に係るプログラムによれば、当該プログラムによって制御される通信システムやフェムト基地局に、上述した実施形態における各機能を実現させることができる。
【図面の簡単な説明】
【００７３】
【図１】本発明の実施形態としての通信システムが既存３Ｇ網に接続された構成例を示すブロック図である。
【図２】Femto AP２に収容されるＵＥ１がFemto AP２に収容されるＵＥに発呼する動作例を示すシーケンス図である。
【図３】既存３Ｇ網のＮｏｄｅ−Ｂに収容されるＵＥ１がFemto AP２に収容されるＵＥに発呼する動作例を示すシーケンス図である。
【図４】Femto AP２に収容されるＵＥ１が既存３Ｇ網のＮｏｄｅ−Ｂに収容されるＵＥに発呼する動作例を示すシーケンス図である。
【図５】転送設定がなされている場合の動作例を示すシーケンス図である。
【図６】既存３Ｇ網でＳＲＢＴを用いる場合の動作例を示すシーケンス図である。
【符号の説明】
【００７４】
１    ＵＥ
２    Femto AP
３    ＭＧＷ
４    ＰＤＧ
５    ＡＡＡ
６    ＣＳＣＦ
７    ＨＳＳ
８    ＶＬＲ
９    ＭＧＣＦ
９１    Ｎｏｄｅ−Ｂ
９２    ＲＮＣ
９３    ＭＳＣ
９４    ＶＬＲ
９５    ＨＬＲ
【図１】
2010157810.tif 000003
【図２】
2010157810.tif 000004
【図３】
2010157810.tif 000005
【図４】
2010157810.tif 000006
【図５】
2010157810.tif 000007
【図６】
2010157810.tif 000008